(57)【特許請求の範囲】
【請求項１】
テレビ信号処理装置におけるビデオ情報の表示を制御する方法であって、
補助情報を含まない第一の形式の第一のテレビ信号を処理し、前記第一の形式の第一のテレビ信号に含まれる第一のテレビ番組を表す信号を提供する工程と、
補助情報を含まない前記第一のテレビ信号をユーザが選択すると、補助情報を含まない第一の形式の第一のテレビ信号と、前記第一のテレビ信号に関連する補助情報を含む第二の形式の第二のテレビ信号との相関を自動的にとる工程と、
前記第二の形式の第二のテレビ信号を処理し、前記テレビ番組に関連する補助情報を取得する工程と、
前記第二の形式の第二のテレビ信号からの前記補助情報と前記第一の形式の第一のテレビ信号からのテレビ番組を表す信号と合成し、前記テレビ番組及び前記補助情報を含む表示可能な画像を表す合成ビデオ信号を生成する工程とを有することを特徴とする方法。
【請求項２】
補助情報を含まない第一の形式の第一のテレビ信号を処理し、前記第一の形式の第一のテレビ信号に含まれる第一のテレビ番組を表す信号を提供する手段と、
第二の形式の第二のテレビ信号を処理し、前記第一のテレビ番組に関連する補助情報を取得する手段と、
補助情報を含まない前記第一のテレビ信号をユーザが選択すると、補助情報を含まない第一の形式の第一のテレビ信号と、前記第一のテレビ信号に関連する前記第二の形式の前記補助情報との相関を自動的にとる工程と、
前記第二の形式の第二のテレビ信号からの前記補助情報と前記第一の形式の第一のテレビ信号からのテレビ番組を表す信号と合成し、前記テレビ番組及び前記補助情報を含む表示可能な画像を表す合成ビデオ信号を生成する手段とを有することを特徴とするテレビ信号処理装置。
【発明の詳細な説明】
【０００１】
【発明の属する技術分野】
本発明は、テレビ信号の処理に係り、特に、テレビ信号の補助情報の処理に関する。
【０００２】
【従来の技術】
ビデオ信号処理システムは、様々なタイプの信号を受信し、処理する能力を有し得る。例えば、特定のテレビ信号処理装置（テレビ受像機などのディスプレイ装置を有する装置は含むが、セットトップ・ボックスなどのディスプレイ装置は含まない）は、高精細度テレビ（ＨＤＴＶ）信号やプログレッシブ走査タイプの信号などの高精細度テレビ信号（まとめて、「高性能テレビ信号」と呼ぶ）と、他の標準的な精細度（４８０本インターレース）のテレビ（ＳＤＴＶ）信号との双方を受信し、処理し得る。通常、高精細度／プログレッシブ走査テレビ信号を処理できるビデオ・システムのユーザは、ＨＤＴＶ信号処理を用いると可能となる高画質を楽しむために、ＨＤ信号を通じてテレビ番組を見ることを好むであろう。
【０００３】
【発明が解決しようとする課題】
しかし、ＨＤＴＶ信号やプログレッシブ走査信号などの高性能ビデオ信号を用いると、標準精細度テレビに共通する特定の特徴を用いることが難しく、又は不可能になる。例えば、多くのテレビは、テレビ信号に含まれ得る補助情報を受信し、デコードする能力を有する。このような補助情報の具体例は、テレテキスト・データ、クローズド・キャプション（字幕）・データ、番組ガイド・データなどである。ほとんどのアナログ・テレビ信号において、このような補助情報は、通常は番組情報を搬送しない信号の一部分（例えば、ＮＴＳＣ信号の垂直帰線期間（ＶＢＩ）など）に含まれる。また、ディジタル・テレビ信号は、例えば、特定のディジタル・データ・パケット・ストリームを補助情報データ専用とすることによって、補助情報を含み得る。
【０００４】
しかし、すべての高性能テレビ信号又はＨＤＴＶ信号が補助情報を含むわけではないため、ユーザは、ＮＴＳＣ番組を見るのと同じようにＨＤＴＶ番組を見ると、クローズド・キャプションなどの特徴を用いることができなくなり得る。すなわち、プログレッシブ走査や高精細度ビデオなどの新しいビデオ信号インターフェースの一部は、クローズド・キャプション・データなどの埋め込み型補助情報を持たない。故に、新しいビデオ信号インターフェースによって提供された高性能ビデオを欲するユーザは、高性能ビデオと補助情報とを両方得ることはできない。
【０００５】
【課題を解決するための手段】
ここに記載されるシステムにより、ユーザは、高性能テレビ信号又は番組を見ている時に補助情報にアクセスできるようになる。特に、テレビ信号システムは、高精細度テレビ信号又はプログレッシブ走査テレビ信号を見ている時に、ユーザが補助情報にアクセスし得る及び／又は利用し得るように、動く、構成される、及び／又は起動される。
【０００６】
テレビ信号システムは、テレビ信号処理装置を含むように設けられる。このテレビ信号処理装置は、第一のテレビ信号入力と通信すると共に、第一の形式のテレビ信号を処理して該第一の形式のテレビ信号に含まれるテレビ番組を表す信号を提供するように動作する第一のプロセッサを有する。このテレビ信号処理装置は、更に、第二のテレビ信号入力と通信すると共に、第二の形式のテレビ信号を処理して上記テレビ番組に関連する補助情報を取得するように動作する第二のプロセッサを有する。第一及び第二のプロセッサと通信する合成器は、上記補助情報を上記テレビ番組を表す信号を合成して、該テレビ番組と補助情報とを含む表示可能な画像を表す信号を提供する。
【０００７】
このテレビ信号システム／装置によって利用される方法は、第一の形式のテレビ信号を処理して該第一の形式のテレビ信号に含まれるテレビ番組を表す信号を提供する工程と、第二の形式のテレビ信号を処理して該テレビ番組に関連する補助情報を取得する工程と、該第二の形式のテレビ信号からの補助情報を該テレビ番組を表す信号と合成し、該テレビ番組と該補助情報とを含む表示可能な画像を表す合成テレビ信号を生成する工程とを有する。
【０００８】
模範的なテレビ信号システムは、選択されたインターレース標準精細度入力上の補助情報／データ（例えば、クローズド・キャプション・データ）を受信し、該補助データを処理し、該補助情報をテレビ（ビデオ）信号と合成する又は重ねる。該テレビ（ビデオ）信号は、自身の埋め込み型補助情報を持たず、選択された入力上で受信される。より具体的には、ここに記載する模範的テレビ信号システムは、標準精細度信号からのクローズド・キャプション（ＣＣ）データを用い、該ＣＣデータを処理し、自身の埋め込み型クローズド・キャプション・データを搭載せず、見るために選択されたより高精細度な信号のビデオ・レートで該ＣＣデータを重ねる。
【０００９】
標準精細度ビデオ信号（例えば、コンポジット・ビデオ）と、より高精細度なビデオ信号（例えば、ディジタル・ビデオ・インターフェース（ＤＶＩ））とは、いずれも個々の発信元からテレビ信号処理装置／モニタへ接続される。ＨＤ信号などの高性能テレビ信号が表示用に選択されると、クローズド・キャプション・データ（すなわち、補助データ）を有する対応する標準精細度（例えば、コンポジット）ビデオ信号も選択され、該テレビ信号処理装置／モニタのクローズド・キャプション・プロセッサへ提供される。次いで、クローズド・キャプション・プロセッサは、ＣＣデータを解釈し、ＨＤ信号と同じレートでビデオ・データ信号を生成する。このデータ信号は、次いで、同じくクローズド・キャプション・プロセッサによって生成された制御信号に従って重ねられる。この合成信号は、テレビ信号ディスプレイへ提供される。
【００１０】
入力信号の選択及びルーティングの制御は、デフォルト・セットアップで為されてもよい。例えば、高性能テレビ信号入力が選択されたとき、標準精細度（例えば、コンポジット）入力１が補助データ（例えば、クローズド・キャプション・データ）用に選択される。別の方法として、各プログレッシブ入力又は高精細度（高性能）入力を補助データ用の標準精細度入力とペアとすることを可能にするユーザ制御セットアップ・メニュが設けられてもよい。その際、システム・コントローラは、埋め込み型補助データを有する各ビデオ入力について、補助データを補助データ・プロセッサへルーティングする。
【００１１】
補助データ・プロセッサは、補助データ規格に従って補助データを解釈する。しかし、補助データについてデータとして然るべきテキスト、色、及び配置情報が決定されると、システムは該データを４８０本プログレッシブ又は１０８０本インターレースから変換する。データ変換プロセッサの一具体例は、選択された外部入力へ従属するオンスクリーン・ディスプレイ（ＯＳＤ）生成器である。外部信号から水平同期信号及び垂直同期信号が抽出され、ＯＳＤ生成器へ入力される。水平及び垂直同期信号は、ＯＳＤ生成器に入力に準拠した出力を生成させる。このようなＯＳＤ生成器の一態様において、該生成器は、表示される補助データ（例えばクローズド・オプション・データの場合、テキスト）のサイズ及びスペーシングのいずれについてもフレキシブルである。
【００１２】
補助データ・プロセッサは、補助データがスクリーン上のどこに配置されるべきかを知っているため、補助データ・プロセッサは、グラフィック・ビデオ出力と共に、高速切替制御信号を生成する。この高速切替制御信号は、オーバレイ・スイッチに補助データを選択されたより高精細度なビデオ上に挿入させる。例えば、クローズド・キャプション（補助）データが、標準精細度画像のフィールド１上のライン１８０〜２００とフィールド２上のライン４４２〜４６２とから挿入されるべき場合、１０８０本インターレース画像のフィールド１上のライン３７８〜４２２とフィールド２上のライン９４０〜９８４とを用いる必要がある。同様の変化は、水平位置についても行われる。
【００１３】
【発明の実施の形態】
本発明の上記及び他の特徴及び利点と、それらを得る方法とは以下でより明らかにされる。本発明は、添付図面と共に以下の本発明の実施の形態の説明を参照することによって明らかとなる。
【００１４】
全図を通じて、対応する参照記号は対応する部分を示す。
【００１５】
ここで図面、特に図１を参照する。図１は、模範的なテレビ信号システム１０を示す。テレビ信号システム１０は、テレビ信号処理装置（若しくは受信器）１２と、このテレビ信号処理装置１２と通信するディスプレイ（若しくはモニタ）１４とを有する。ディスプレイ１４は、テレビ信号処理装置１２によって受信され、及び／又は処理された様々なテレビ信号に含まれる１又は複数のビデオ信号、或いはビデオ情報からビデオを受信し、示すように動作する。テレビ信号処理装置１２は、補助情報（若しくは補助データ）を含む又は有するテレビ信号の１又は複数の発信元１６と通信する。特に、テレビ信号処理装置１２は、補助データを搬送するテレビ信号用の１又は複数の入力を有する。テレビ信号処理装置１２は、更に、補助情報（若しくは補助データ）を含む又は有するテレビ信号の１又は複数の発信元１８と通信する。特に、テレビ信号処理装置１２は、補助データを搬送しないテレビ信号用の１又は複数の入力を有する。
【００１６】
補助情報（若しくは補助データ）を有するテレビ信号１６は、通常、標準的な細度のテレビ信号（ＳＤＴＶ）であり、補助情報（若しくは補助データ）を有しないテレビ信号１８は、通常、高性能テレビ信号（高精細度テレビ信号、ＨＤＴＶ、又はプログレッシブ走査テレビ信号）である。したがって、テレビ信号システム１０は、標準精細度の信号と、高性能細度（例えば、高精細度テレビ、ＨＤＴＶ、及びプログレッシブ走査テレビ）信号とを両方共受信し、及び／又は処理するように、構成、動作、及び／又は適応される。
【００１７】
図２は、様々な典型的テレビ信号、信号入力、及び／又は信号発信元を示す。特に、補助情報（若しくは補助データ）を有するテレビ信号１６用の発信元若しくは入力と、補助情報（若しくは補助データ）を有しないテレビ信号１８用の発信元若しくは入力と、が示されている。補助情報（若しくは補助データ）を備えていないテレビ信号の発信元若しくは入力の一カテゴリは、ディジタル・ビデオ・インターフェース（ＤＶＩ）２０である。ＤＶＩ２０は、衛星ボックス２２、ケーブル・ボックス２４、及び／又は、その他２６として示される他の種類のセットトップ・ボックスを包含する。原則として、これら装置は、補助情報／データを欠いた高性能テレビ信号か、或いは、補助情報／データを有するが、該補助情報／データを処理及び／又は利用する能力を欠いた高性能テレビ信号のいずれかを受信する。通常、このようなＤＶＩ２０は、高性能テレビ信号（例えば、ＨＤＴＶ信号、及びプログレッシブ走査信号）における補助情報／データを処理及び／又は利用する能力を持たない。
【００１８】
テレビ信号の一部として補助情報（若しくは補助データ）を備えたテレビ信号の発信元若しくは入力の別のカテゴリは、ケーブル・テレビ２８、地上波放送３０、及び、その他３２として示される他のアナログ又は標準精細度の発信元／入力である。これら標準精細度のテレビ信号の発信元若しくは入力は、補助情報（若しくは補助データ）を有するテレビ信号を提供する。したがって、テレビ信号処理装置１２は、少なくとも１つの高性能又は高精細度テレビ信号（補助情報／データ無し）と、少なくとも１つの標準精細度のテレビ信号（補助情報／データ有り）とを受け入れるように構成される。
【００１９】
ディスプレイ（若しくはモニタ）１４は、図２に破線で示すようにテレビ信号処理装置１２と一体化されてもよい。一体化されなくてもよい。したがって、テレビ信号処理装置１２は、（一体化されたディスプレイ１４を有する）テレビ、一体化されたディスプレイ１４を持たない他の装置などの様々な形を採り得る。
【００２０】
テレビ信号処理装置１２は、高性能／高精細度テレビ信号（入力）を、標準精細度のテレビ信号（入力）と一致させる、又は標準精細度のテレビ信号（入力）とペアを作らせる、又は標準精細度のテレビ信号（入力）と相関を取る。テレビ信号処理装置１２は、高精細度テレビ信号用と標準精細度テレビ信号用とを含む複数のテレビ信号入力を有することが好ましい。したがって、高精細度テレビ信号若しくは信号入力のそれぞれは、標準精細度のテレビ信号若しくは信号入力に対して相関が取られる。このような相関は、ユーザ制御セットアップ・メニュと通じて、或いは、テレビ信号に含まれる番組ガイド・データなどの情報を通じて、テレビ信号処理装置のデフォルト・セットアップによって実現され得る。番組ガイド・データは、例えば、番組に関連付けられた信号形式を含む１以上のチャンネル上に含まれる番組編成に関する情報を含む。いずれの場合においても、特定のＤＶＩ入力が選択されると、補助情報を得るためにコンポジット標準精細度テレビ信号若しくは入力が選択される。
【００２１】
標準精細度入力信号の選択（相関）及びルーティングの制御は、デフォルト・セットアップを通じて実現されてもよい。デフォルト・セットアップは、高精細度テレビ信号とペアを組ませるのに適した標準精細度テレビ信号を選択するために、テレビ信号処理装置１２に備えられる。したがって、高精細度テレビ信号、番組、又はチャンネルが（通常は、図示しないリモコンなどを通じて、ユーザによって）見るために選択されると、テレビ信号処理装置１２は、適切な標準精細度テレビ信号をそこから補助情報／データを取得するために選択する。別の方法として、テレビ信号処理装置１２によって、ユーザ制御セットアップ・メニュが設けられてもよい。ユーザ制御セットアップ・メニュは、オンスクリーン・ディスプレイ・メニュを通じて、図示しないリモコン装置若しくはコントローラによって又は用いて、オペレートされ得る。ユーザ制御セットアップ・メニュは、補助情報／データ（例えば、クローズド・キャプション・データ）を取得するために、各高性能／高精細度テレビ信号（すなわち、プログレッシブ走査、又は高精細度）入力を標準精細度入力とペアを組ませることを可能にし得る。
【００２２】
セットアップが一旦完了すると、テレビ信号処理装置１２のシステム・コントローラは、現在の補助情報／データを処理するために適切なテレビ信号処理装置１２の構成要素へルーティングする。高精細度テレビ信号／入力と標準精細度信号／入力とのペアリング又は相関取りは、テレビ番組や放送局などの相関取りも含み得る。なぜなら、同じチャンネル上で高精細度テレビ信号と標準精細度テレビ信号とに同じテレビ番組は備えられないからである。
【００２３】
特に、高精細度テレビ信号が一旦標準精細度テレビ信号とペアにされ（又は、標準精細度テレビ信号が一旦高精細度テレビ信号とペアにされ）、高精細度テレビ・チャンネル若しくは番組がユーザによって選択されると、同じ番組を搬送する標準精細度チャンネルは、該高精細度チャンネルと相関が取られなければならない。これにより、高精細度テレビ信号と共に又は用に、標準精細度テレビ信号から補助情報／データ（例えば、クローズド・キャプション情報／データ）を用いるために必要な相関が得られる。この場合、高精細度テレビ信号と標準精細度テレビ信号との間でテレビ信号番組を相関させるために相互参照データベース、ルックアップ・テーブルなどが必要となり得る。このような相関は、テレビ信号処理装置１２によって自動的に行われてもよく、ユーザ制御セットアップ・メニュの一部であってもよい。
【００２４】
加えて、クローズド・キャプションなどの補助情報／データを提供することは任意的であってもよい。この点、テレビ信号処理装置１２は、クローズド・キャプション・フィーチャのユーザ制御、すなわちクローズド・キャプションが表示されるか否かを可能にし得る。クローズド・キャプションが起動され、高精細度テレビ信号の発信元が見るために選択されると、クローズド・キャプションがここに詳述したように提供される。
【００２５】
本システムをより良く説明するために、以下、クローズド・キャプション・データを含む模範的システムについて説明する。この点につき、ここでは図３を参照する。図３は、模範的なテレビ信号処理システム４０を示す。テレビ信号処理システム４０は、テレビ信号処理装置１２の一部であることが好ましいが、必ずしもそうである必要はない。テレビ信号処理システム４０は、補助情報（若しくは補助データ）を有する標準精細度テレビ信号４２と、補助情報を持たない高精細度テレビ信号４４とを受け入れる。高精細度テレビ信号のテレビ番組編成におけるある特定のチャンネルがユーザによって選択される。この特定の高精細度テレビ番組信号若しくはチャンネルは、次いで、ＨＤＴＶ信号プロセッサ、プロセッサ、又は処理回路／ロジックなど５２によって処理される。高精細度テレビ信号プロセッサ５２は、入力又は高精細度テレビ信号に含まれるテレビ番組を表す及び／又は代表する信号を取得するように動作する。ＨＤＴＶ信号プロセッサ／処理５２からのテレビ番組信号は、オーバレイ・プロセッサ、プロセッサ、又は処理回路／ロジックなど５０へ提供される。
【００２６】
標準精細度テレビ信号／補助情報プロセッサ４６は、補助情報／データ（ここでは、クローズド・キャプション４８）を抽出するように動作する。標準精細度テレビ信号／補助情報プロセッサ４６は、更に、１又は複数の制御信号、及び／又は制御情報／データを取得、生成、及び／又は生産するように動作する。制御信号は、少なくとも、クローズド・キャプション情報／データに関するタイミング情報を提供する。ブロック４６及び／又は５２は、ＨＤＴＶ信号を補助情報へ正しく揃える遅延処理も含み得る。クローズド・キャプション情報４８及び制御信号の双方は、オーバレイ・プロセッサ５０へ提供される。
【００２７】
オーバレイ・プロセッサ５０は、ＨＤＴＶ信号プロセッサ５２から受信した高精細度テレビ信号と、標準精細度テレビ信号／補助情報プロセッサ４６から受信した制御信号／データと、同じく標準精細度テレビ信号／補助情報プロセッサ４６から受信したクローズド・キャプション・データ（テキスト）とを処理するように動作する。このような処理は、クローズド・キャプション・データ４８を高精細度テレビ信号又はプログラム上へ重ねることを含む。特に、クローズド・キャプション・データは、高精細度テレビ信号のビデオ・レートで、高精細度テレビ番組／信号上へ重ねられる。これにより、クローズド・キャプション・データ（テキスト）を有する高精細度テレビ信号（高精細度テレビ番組）５４が得られる。クローズド・キャプション・データを有する高精細度テレビ番組は、次いで、ディスプレイ１４へ提供される。
【００２８】
ここで図４を参照する。図４は、クローズド・キャプション（補助）情報／データを持たないＨＤＴＶ信号からのＨＤＴＶテレビ番組６０の表示を示す。本発明の一態様によれば、クローズド・キャプション（ＣＣ）テキスト６２は、ＨＤＴＶピクチャ６０上に重ねられる。これは、クローズド・キャプションが起動されていることを前提としている。クローズド・キャプション・テキスト６２は、クローズド・キャプション（補助）情報／データを有する標準精細度テレビ信号から得られる。高精細度テレビ番組６０は、標準精細度テレビ信号によって提供される同じ番組と相関が取られているため、クローズド・キャプション・テキスト６２は高精細度テレビ番組６０に適合する。
【００２９】
ここで図５を参照する。図５は、本発明の原理に係る模範的回路、ロジック、及び／又は回路構成７０を示す。この特定の実施形態において、補助情報を有するテレビ信号発信元１６は、ＮＴＳＣ又は標準精細度テレビ信号を有する。補助応報を持たないテレビ信号発信元１８は、プログレッシブ走査又は高精細度テレビ信号を有する。
【００３０】
ＮＴＳＣ（４８０本インターレース）入力スイッチ７２は、それぞれが個々のテレビ信号から処理された様々な種類の標準精細度ＮＴＳＣビデオ信号（特に、コンポジット・ビデオ信号、Ｓ−ビデオ（成分）、及び、標準精細度ＹＰｒＰｂビデオ信号）を受け入れることができる。プログレッシブ走査又は高精細度入力スイッチ７４は、それぞれが個々のテレビ信号から処理された様々な種類の高精細度テレビ信号（特に、アナログ高精細度ＹＰｒＰｂビデオ信号、及び、ディジタル高精細度ＲＧＢ（若しくはＹＣｒＣｂ）ビデオ信号）を受け入れることができる。
【００３１】
プログレッシブ／高精細度入力スイッチ７２は、選択された高精細度又はプログレッシブ走査ビデオ信号（通常は、ユーザが選択した高精細度又はプログレッシブ走査番組チャンネル、又は特定のテレビ番組を有するチャンネル）を通過させるか或いは出力するように動作する。選択された高精細度又はプログレッシブ走査テレビ番組又はビデオ信号は、ディスプレイ・ビデオ・スイッチ７８へ入力として提供される。
【００３２】
ＮＴＳＣ入力スイッチ７２は、補助情報がテレビ信号から所望されるか否かにかかわらず、ＮＴＳＣテレビ信号入力の選択を提供するのに用いられるため、ＮＴＳＣ入力スイッチ７２は、ディスプレイ・ビデオ・スイッチ７８に接続される。したがって、ＮＴＳＣテレビ信号若しくはチャンネルが見るために選択されると、ディスプレイ・ビデオ・スイッチ７８はテレビ信号処理装置１２によって制御され、選択されたＮＴＳＣテレビ信号がディスプレイ１４へ到達させることができる。高精細度テレビ信号若しくはチャンネルが見るために選択され、クローズド・キャプション機能が起動されると、ディスプレイ・ビデオ・スイッチ７８は選択された高精細度テレビ信号がディスプレイ１４に到達するように制御される。
【００３３】
ＮＴＳＣ入力スイッチ７２は、更に、相関が取られた標準精細度ビデオ信号をクローズド・キャプション・プロセッサ７６へ通過させる又は出力するように動作する。クローズド・キャプション・プロセッサ７６は、クローズド・キャプション情報を抽出し、入力されたビデオ信号からのクローズド・キャプション・ビデオ・テキスト信号を提供するように動作する。クローズド・キャプション・プロセッサ７６は、更に、ＯＳＤ生成能力を有してもよい。ビデオ・テキスト信号は、選択された高精細度ビデオ信号レートと同じレートで生成される。クローズド・キャプション・プロセッサ７６は、更に、入力ビデオ信号のタイミング（ビデオ・レート）情報に基づいて、オーバレイ制御信号を提供する。クローズド・キャプション・ビデオ・テキスト信号及びオーバレイ制御信号の双方は、オーバレイ高速スイッチ８０に入力される。同様に、ディスプレイ・ビデオ・スイッチ７８からの選択された高精細度ビデオ信号もオーバレイ高速スイッチ８０に入力される。オーバレイ高速スイッチ８０は、クローズド・キャプション・テキストを含むクローズド・キャプション・ビデオ・テキスト信号を、オーバレイ制御信号に基づいて、選択された高精細度ビデオ信号上へ重ねる。合成されたビデオ信号は、次いで、モニタ／ディスプレイ１４上への表示のために、（図示しない）ディスプレイ・ドライバへ提供される。
【００３４】
クローズド・キャプション・プロセッサ７６は、入力ビデオ信号のクローズド・キャプション・データを解釈するように動作する。同様に、テキスト、色、及び配置情報も、クローズド・キャプション・プロセッサ７６によって求められる。これは、４８０本インターレース・ビデオ形式から選択された高精細度ビデオ（テレビ）信号（例えば、４８０本プログレッシブ走査ビデオ信号、１０８０本インターレース・ビデオ信号など）の形式へ変換されなければならない。一例として、これは、例えば、ＯＳＤ生成器である又はＯＳＤ生成器を含むクローズド・キャプション・プロセッサによって実現されてもよい。ＯＳＤ生成器は、選択された外部入力に従属される。水平及び垂直同期信号が外部信号から抽出され、ＯＳＤ生成器へ入力される。この信号は、ＯＳＤ生成器に出力を該入力に準拠させる。
【００３５】
ここで図６を参照する。図６は、本発明の原理に係る本発明のオペレーションの模範的方法を示すフローチャート９０を示す。ステップ９２において、テレビ番組を搬送するテレビ・チャンネルに対応する高性能テレビ信号（例えば、高精細度テレビ信号）が選択される。これは、通常、リモコン（図示せず）などを通じて、ユーザによって実現される。ここで、リモコンの信号は、テレビ信号処理装置１２によって受信され、解釈される。補助情報（例えば、クローズド・キャプション情報）が所望されているものとする。ステップ９４において、標準精細度テレビ信号は、高性能テレビ信号と関連付けられる。これは、デフォルト・セットアップや、ユーザ定義セットアップなどを通じて既に達成されていてもよい。この工程は、この段階で上記関連付けを実行する能力か、或いは２つのテレビ／ビデオ信号間の参照及び即座の関連付けのいずれかを示す。
【００３６】
工程９６において、高性能テレビ信号は、テレビ番組信号を得るために処理される。工程９８において、標準精細度テレビ信号は、補助情報／データ（例えば、クローズド・キャプション情報／データ）を得るために処理される。その後、工程１００において、補助情報／データは、テレビ番組信号と合成される。次いで、合成されたテレビ番組は、工程１０２において、ディスプレイに提供される。
【００３７】
本発明は、補助情報／データが発信元においてビデオに合成された場合には得られない固有の機能を有する。例えば、クローズド・キャプションをオーディオ・ミュート中に表示することができる。この機能は、（リモコンのボタンを押すことによる）「オーディオ・ミュート」コマンドに反応し、音量をゼロにすると共に、クローズド・キャプションを自動的に表示する。オーディオ・ミュートが非稼動状態にされると、通常の音量に戻り、クローズド・キャプションがオフにされる。別の例は、高精細度ビデオを関連付けられたＮＴＳＣチャンネルからの既知の番組に結び付けるガイド情報を通じて、該高精細度ビデオを選択することである。
【００３８】
以上、本発明を好ましいデザインを有する場合について説明したが、本発明は、上記開示の意図及び範囲内で更に修正され得るものである。よって、本願は、本発明の一般的な原理を用いて、本発明のあらゆる変形例、使用、及び適用をカバーすることが意図されている。さらに、本願は、本発明が関連し、付属の請求項の制限内に収まる本分野の既知の又は慣用の技術内に収まる本開示からの逸脱をカバーすることが意図されている。
【００３９】
【発明の効果】
本発明によれば、高精細度テレビ信号又は番組を見ている時に、ユーザが補助情報にアクセスすることを可能にするシステムを提供することができる。
【図面の簡単な説明】
【図１】本発明の原理に準拠したテレビ信号処理システムの簡易ブロック図である。
【図２】本発明の原理に準拠した模範的テレビ信号処理システムのブロック図である。
【図３】本発明の原理に準拠した模範的テレビ信号処理システムのブロック図である。
【図４】クローズド・キャプショニングを伴ったＨＤＴＶ信号を示すテレビ信号ディスプレイを示す図である。
【図５】本発明の原理に準拠した模範的テレビ信号処理システムのブロック図である。
【図６】本発明の一態様に係る模範的オペレーション方法のフローチャートである。
【符号の説明】
１０  テレビ信号システム
１２  テレビ信号処理装置
１４  ディスプレイ
１６  補助情報を含むテレビ信号の発信元
１８  補助情報を含むテレビ信号の発信元
２０  ディジタル・ビデオ・インターフェース（ＤＶＩ）
２２  衛星ボックス
２４  ケーブル・ボックス
２６  その他
２８  ケーブル・テレビ
３０  地上波放送
３２  その他
４０  テレビ信号処理システム
４２  標準精細度テレビ信号
４４  高精細度テレビ信号
４６  標準精細度テレビ信号／補助情報プロセッサ
４８  クローズド・キャプション・データ
５０  オーバレイ・プロセッサ
５２  ＨＤＴＶ信号プロセッサ
５４  クローズド・キャプション・データを有する高精細度テレビ信号
６０  ＨＤＴＶピクチャ
６２  クローズド・キャプション・テキスト
７０  回路
７２  ＮＴＳＣ（４８０本インターレース）入力スイッチ
７４  プログレッシブ走査又は高精細度入力スイッチ
７６  クローズド・キャプション・プロセッサ
７８  ディスプレイ・ビデオ・スイッチ
８０  オーバレイ高速スイッチ
【図１】
0004176387.tif 000002
【図２】
0004176387.tif 000003
【図３】
0004176387.tif 000004
【図４】
0004176387.tif 000005
【図５】
0004176387.tif 000006
【図６】
0004176387.tif 000007